(57)【要約】【課題】Ｘ線メモリ箔システムを提供すること。【解決手段】Ｘ線メモリ箔システム（１０）はＸ線メモリ箔（１２）を有し、Ｘ線メモリ箔は記録領域内でＸ線光によって露光されるように構成されかつ少なくとも一方の側に造影マーカー（１６）を支持し、造影マーカーは記録領域内に配置される。システムはメモリ箔リーダー（１４）を有し、メモリ箔リーダーはＸ線記録（３６、３６'）を発生させるために露光されたＸ線メモリ箔（１２）を読み出すように構成される。Ｘ線光に対する造影マーカー（１６）の造影作用はユーザーがＸ線記録（３６、３６'）を観察する際に画像人工物によってのみ造影マーカー（１６）を認識できかつ／又は認識できない程度に小さい。代わりにメモリ箔リーダー（１４）は認識アルゴリズム（４０）を有し、認識アルゴリズムは露光の際にＸ線光が造影マーカー（１６）によって陰らされたか否かを認識するように構成される。【選択図】図１
2020014835.tif 000002
【特許請求の範囲】
【請求項１】
Ｘ線メモリ箔システム（１０）であって、
ａ）記録領域内でＸ線光によって露光されるように構成され、かつ、少なくとも一方の側に造影マーカー（１６）を支持するＸ線メモリ箔（１２）であって、前記造影マーカーが、前記記録領域内に配置されている、Ｘ線メモリ箔（１２）と、
ｂ）Ｘ線記録（３６、３６'）を発生させるために、露光された前記Ｘ線メモリ箔（１２）を読み出すように構成される、メモリ箔リーダー（１４）と、
を備え、
ｃ）前記造影マーカー（１６）が、Ｘ線光に対する造影作用を有し、前記造影作用は、ユーザーが前記Ｘ線記録（３６、３６'）を観察する場合に、前記造影マーカー（１６）が画像人工物によってのみかすかに認識できかつ／又は認識できない程度に小さいものであって、特に入射するＸ線強度の最大で約３０％であり、かつ
ｃ）前記メモリ箔リーダー（１４）が、認識アルゴリズム（４０）を有し、前記認識アルゴリズムが、露光する際にＸ線光が前記造影マーカー（１６）によって陰らされたか否かを認識するように、構成される、
ことを特徴とする、Ｘ線メモリ箔システム。
【請求項２】
前記造影マーカー（１６）が、特徴的な目印（２２）を有する幾何学的な形状を有し、かつ
前記認識アルゴリズム（４０）が、可能な造影作用を認識するために、前記特徴的な目印（２２）を使用する、
ことを特徴とする、請求項１に記載のＸ線メモリ箔システム。
【請求項３】
前記造影マーカー（１６）が、定められた周期性（２２）を有し、かつ、前記認識アルゴリズム（４０）が、前記周期性（２２）に関して前記Ｘ線記録（３６、３６'）を評価する、ことを特徴とする、請求項１又は２に記載のＸ線メモリ箔システム。
【請求項４】
前記認識アルゴリズム（４０）が、前記Ｘ線記録（３６、３６'）を場所空間から周波数空間（４６９）へ移行させ、かつ、前記周波数空間（４６）内で前記造影マーカー（１６）の前記周期性（２２）に属する周波数（５０）を求める、ことを特徴とする、請求項３に記載のＸ線メモリ箔システム。
【請求項５】
前記造影マーカー（１６）が、前記Ｘ線メモリ箔（１２）に取り付けられた無線マーカー（２０）の少なくとも一部である、ことを特徴とする、請求項１から４のいずれか１項に記載のＸ線メモリ箔システム。
【請求項６】
前記造影マーカー（１６）が、前記無線マーカー（２０）のアンテナ構造（１８）である、ことを特徴とする、請求項５に記載のＸ線メモリ箔システム。
【請求項７】
前記無線マーカー（２０）の前記アンテナ構造（１８）が螺旋形状を有し、前記認識アルゴリズム（４０）が前記Ｘ線記録（３６、３６'、４６）内の前記螺旋形状の特徴的な目印（２２）を求めて、それに基づいて造影作用が存在するか否かを判定する、ことを特徴とする、請求項６に記載のＸ線メモリ箔システム。
【請求項８】
前記造影マーカー（１６）が、電気的に導通する材料から形成されている、ことを特徴とする、請求項１から７のいずれか１項に記載のＸ線メモリ箔システム。
【請求項９】
前記造影マーカー（１６）が、プリント方法を用いて前記Ｘ線メモリ箔（１２）上にプリントインクとしてプリントされている、ことを特徴とする、請求項１から８のいずれか１項に記載のＸ線メモリ箔システム。
【請求項１０】
前記造影マーカー（１６）が、入射するＸ線強度の約２０％より少ない、好ましくは、約１０％より少ない、特に約５％より少ない造影作用をもたらす、ことを特徴とする、請求項１から９のいずれか１項に記載のＸ線メモリ箔システム。
【発明の詳細な説明】
【技術分野】
【０００１】
本発明は、Ｘ線メモリ箔システムに関するものであって、同システムは、
ａ）記録領域においてＸ線光によって露光されるように構成されかつ少なくとも１つの側に造影マーカーを支持するＸ線メモリ箔であって、造影マーカーが、記録領域内に配置されている、Ｘ線メモリ箔と、
ｂ）Ｘ線記録を発生させるために露光されたＸ線メモリ箔を読み出すように構成されている、メモリ箔リーダーと、
を備える。
【背景技術】
【０００２】
Ｘ線メモリ箔システムは、工業、医療及び／又は歯科医療において、たとえば顎内の歯のような、所定の調査領域のＸ線記録をユーザーのためにタイムリーに形成するために、使用される。そのために、Ｘ線メモリ箔システムは、Ｘ線源に対して、Ｘ線照射すべき調査領域の（たとえば顎の）下流側に配置されて、Ｘ線源からのＸ線光によって露光される。メモリ箔は潜像を支持し、その潜像がメモリ箔リーダーによって読み出されて、Ｘ線記録として表示器上で従来のＸ線フィルム記憶と比較できるように表示される。
【０００３】
そのために、現在一般的なＸ線メモリ箔システムは、メモリ箔として、いわゆるフォトルミネッセンスメモリ箔を使用し、それがメモリ箔リーダー内で活性化光によって点状又はライン状にスキャンされて、読み出される。したがってこの種のメモリ箔リーダーは、短くスキャナとも称される。その場合に特に歯科医療においては、ロータリースキャナが使用され、それにおいてＸ線メモリ箔はカセットケースなしで装置を通して１方向に移送され、その際にスキャンされて、次に消去される。
【０００４】
原則的にこの種のメモリ箔は、メモリ箔の一方の側又は他の側からＸ線光によって露光することができる。というのは、Ｘ線光がメモリ箔を完全に貫通するからである。それにもかかわらず、多くのメモリ箔は区別可能な前側と後ろ側とを有している。というのは、しばしばメモリ箔の片側の読みだしが優先されるからである。特にメモリ箔は、しばしば後ろ側に保護層を有しており、その保護層がたとえば移送の理由から、メモリ箔リーダー内で所定の摩擦ホィール又はバンドドライブに適合されている。しかしこのコーティングは、Ｘ線光に関しては最小の減衰作用しかもたない。
【０００５】
したがってメモリ箔は、優先される前側と後ろ側とを有している。
【０００６】
米国特許第７１４０７６９号明細書に記述されるように、クリニックの日常では、特にカセットに入れずに移送される歯科用のメモリ箔は、露光する際にうっかりとその前側の代わりにその後ろ側をＸ線源へ向けて配置してしまうことが起こり得る。それによってＸ線記録内に画像情報のミラーリングがもたらされる。
【０００７】
したがってＸ線記録を後に評価する際に、メモリ箔がどの側から露光されたかを認識できることが、望まれる。
【０００８】
そのために、同様に米国特許第７１４０７６９号明細書に記述されるように、造影マーカーを使用することが知られており、それがメモリ箔の記録領域内でメモリ箔の片側に取り付けられている。この造影マーカーは、Ｘ線光用の高い作用横断面を有する材料からなり、露光が造影マーカーの側から行われる場合に、Ｘ線光を著しく陰らせる。それによってＸ線記録を見る場合に、ある場合には造影マーカーが見られ、他の場合には見られない。
【０００９】
さらに、Ｘ線源に対するメモリ箔の方位についての更なる帰納的推論もしくはリーダー内部で場合によっては行われる画像変換を認識するために、造影マーカーを非対称に形成することも、知られている。
【００１０】
しかしこれらの従来の造影マーカーには欠点があって、造影マーカーの側からメモリ箔を露光する場合に、調査領域の部分領域が覆われ、したがって診断のために利用できなくなる。
【先行技術文献】
【特許文献】
【００１１】
【特許文献１】米国特許第７１４０７６９号明細書
【発明の概要】
【発明が解決しようとする課題】
【００１２】
したがって本発明の課題は、造影マーカーに関して改良され、特に画像情報を失うことなしに露光方向を認識することを可能にする、冒頭で挙げた種類のＸ線メモリ箔システムを提供することである。
【課題を解決するための手段】
【００１３】
これは、本発明によれば、冒頭で挙げた種類のＸ線メモリ箔システムによって解決され、それにおいて
ｃ）造影マーカーがＸ線光に対して造影作用を有し、その造影作用は、ユーザーがＸ線記録を観察する場合に、造影マーカーは画像人工物によってのみわずかに認識されかつ／又は認識できない程度に小さく、特に最大で入射するＸ線強度の約３０％であり、
ｄ）メモリ箔リーダーが認識アルゴリズムを有しており、その認識アルゴリズムは、露光する際にＸ線光が造影マーカーによって陰らされたか否かを認識するように、構成されている。
【００１４】
発明者は、既知のシステムとは異なり、造影マーカーが高い造影作用を有しそれによって最終的に示されるＸ線記録内の造影マーカーを通常の観察においてユーザーが直接見ることができることは、必要でないことを認識した。その代わりに、発明者は、通常ユーザーに表示される本来のＸ線記録内に造影マーカーが見えず、あるいは見えるにしてもかすかに見えるだけであるような、小さい造影作用を有する造影マーカーを設けることを、提案する。
【００１５】
特に小さい造影作用によるＸ線記録は、診断可能であり続けなければならない。すなわち、それぞれの診断にとって興味をひく構造は、認識可能であり続けなければならない。これは特に、調査すべき構造が記録領域の、造影マーカーも配置されている部分内にある場合に、効果的である。
【００１６】
その場合に画像人工物というのは、造影マーカーの一部のみが見えることでもある。というのは他の部分は調査すべき構造が重畳されているからである。
【００１７】
したがってこの種の造影マーカーによって、影になった箇所におけるＸ線記録のダイナミック領域は、わずかしか制限されない。
【００１８】
それにもかかわらず、メモリ箔がどの側から露光されたか、を定めるために、リーダー内に認識アルゴリズムが設けられており、その認識アルゴリズムは特に、造影マーカーによってもたらされたわずかな影を認識し、それに応じて露光側を定めるように、構成されている。
【００１９】
そのために認識アルゴリズムは、たとえば、場合によっては存在する、たとえば弱い影のような画像人工物を求めることができる。
【００２０】
しかしこの種の画像人工物は、調査領域の本来の構造の認識可能性を阻止しない。というのは造影作用がそれだけ小さいからである。
【００２１】
造影作用は一般に、使用されるマーカー材料、及び、たとえばＸ線電圧、Ｘ線強度、Ｘ線記録の信号−ノイズ比などのような露光パラメータに依存するので、造影マーカーのきわめて様々な正確な形態が可能であり、それらはそれぞれ予測すべき露光パラメータ及び予測すべき調査領域に依存している。しかし各適用場合について、本発明に係る考えによって、一方では通常の観察においてかすかにしか見えないようにし、他方においては認識アルゴリズムの充分な強靱性を得るために、適切な選択を行うことができる。
【００２２】
本発明の枠内においてメモリ箔リーダーとは、認識アルゴリズムに関連して、もちろん、認識アルゴリズムが読みだし用の別体のスキャナユニット内に直接内蔵されている、メモリ箔リーダーでもあり、市場で一般的なＰＣのような別体のデータ処理装置内に認識アルゴリズムを備えたしかるべき評価ソフトウェアを有する、メモリ箔リーダーでもある。その場合に、認識アルゴリズムが、ハードウェア内に、あるいはソフトウェア内に、あるいは特にサーバー上に移されたサービスとして実装されているかは、重要ではない。
【００２３】
Ｘ線記録というのは、ここではＸ線強度分布の任意の表現である。大体において、測定された強度値が２次元のアレイに記憶され、あるいはすでにグレイ値として格納されている。
【００２４】
好ましくは、造影マーカーは、特徴的な目印を備えた幾何学的な形状を有しており、認識アルゴリズムは、可能な造影作用を認識するために特徴的な目印を使用する。
【００２５】
それによって認識アルゴリズムは目的に合わせて、評価された画像内の造影作用を探求することができ、かつ造影作用、すなわちしかるべき露光が造影マーカーの側から行われたか否かを求めることができる。したがって特徴的な目印がＸ線を当てるべき調査領域内に存在しない場合にも、確実な認識を行うことができる。特徴的な目印は、たとえば造影マーカーの寸法とすることができる。
【００２６】
好ましくは、造影マーカーは定められた周期性を有し、かつ認識アルゴリズムがＸ線記録を周期性に関して評価する。
【００２７】
Ｘ線メモリ箔システムが、医療又は歯科医療において使用される場合に、調査領域内には典型的には周期的構造は発生しない。したがってたとえばその幾何学的形状及び／又は造影作用内に既知の周期性を有する造影マーカーは、認識アルゴリズムによって確実に認識することができる。
【００２８】
好ましくは、認識アルゴリズムはＸ線記録を場所空間から周波数空間へ移行させ、周波数空間内で、造影マーカーの周期性に属する周波数を求める。
【００２９】
周期性は、周波数空間内では特に良好に認識することができる。その場合に選択肢としては、たとえばフーリエ空間への、たとえば離散フーリエ変換（ＤＦＴ）を介しての移行がある。
【００３０】
しかしまた、場所及び周波数空間と適切な画像評価フィルタとの間の関連に基づいて、造影マーカーのこの種の周期性は、場合によっては直接場所空間内で動作する、他の画像フィルタによって生じることも可能である。
【００３１】
好ましくは、造影マーカーはメモリ箔に取り付けられた無線マーカーの少なくとも一部である。
【００３２】
無線マーカー、特にＲＦＩＤマーカーは、対象に割り当てられた固有のＩＤを対応づけることにより、多数の対象を個別化するためにしばしば技術的に使用され、そのＩＤは無線を介して読み出される。これは、メモリ箔においても効果的である。というのは、その場合に、それぞれのメモリ箔は、直接的に、又は、しかるべきデータベースを用いて間接的に、所定の露光プロセス及び／又は患者に対応づけることができるからである。無線マーカーが読みだしパラメータを定めることもでき、その読みだしパラメータがメモリ箔リーダー内の最適な読みだしをもたらす。そのために、Ｘ線露光装置とメモリ箔リーダーに、適切な無線読みだし及び／又は書込み器具を設けることができる。
【００３３】
したがって製造の理由からは、もともとＸ線メモリ箔の片側に設けられている無線マーカーを同時に造影マーカーとして使用すると、効果的である。
【００３４】
その場合に好ましくは、認識アルゴリズムは造影を認識する場合に、それぞれ個別の無線マーカーと結合されている情報にアクセスする。
【００３５】
たとえばデータベースは、それぞれの無線マーカーの特徴的な目印を含むことができるので、無線マーカー情報の読みだし後に認識アルゴリズムは、関連する造影マーカーを所望に求めることができる。
【００３６】
すなわちたとえば、認識アルゴリズムがしかるべき情報を得ることによって、製品育成の枠内で、様々な大きさのメモリ箔において造影認識が改良され、あるいは使用されている無線マーカーを他のように形成された無線マーカーに代えることが可能である。
【００３７】
好ましくは、造影マーカーは、無線マーカーのアンテナ構造である。
【００３８】
この種のアンテナ構造は、たとえばＲＦＩＤマーカーのアンテナとすることができる。
【００３９】
好ましくは無線マーカーのアンテナ構造が螺旋形状を有し、認識アルゴリズムはＸ線記録内の螺旋形状の特徴的な目印を求めて、それにもとづいて造影作用が存在するか否かを定める。
【００４０】
螺旋形状のアンテナ構造は、螺旋アームの間にほぼ等しい間隔を有し、その間隔が多数回繰り返されるので、周期性が存在する。この周期性は、周波数空間内ではきわめて良好に認識することができる。
【００４１】
好ましくは、造影マーカーは、電気的に導通する材料から形成されている。
【００４２】
これによって、造影マーカーを同時にアンテナ構造のような他の目的に使用することが可能になる。
【００４３】
そのために造影マーカーは、たとえば銅から形成することができる。しかしまたそれは、他の軽金属から、特にアルミニウムから形成することもできる。軽金属からなる造影マーカーは、Ｘ線光をわずかしか陰らさない。というのは、そのＸ線相互作用横断面積が小さいからである。
【００４４】
好ましくは、造影マーカーは、プリント方法を用いてＸ線メモリ箔上にプリントインクとしてプリントされている。
【００４５】
たとえばスクリーンプリントのようなプリント方法は、Ｘ線メモリ箔上の造影マーカーのための簡単な製造プロセスである。造影作用のために、プリントインクは、たとえば硫酸バリウムを有することができる。
【００４６】
好ましくは、造影マーカーは、入射するＸ線強度の約２０％未満、好ましくは約１０％未満、特に好ましくは約５％未満の造影作用をもたらす。
【００４７】
このように小さい造影作用は、Ｘ線照射すべき調査領域の興味をひく構造がユーザーにとってまだ認識可能であるような観察において、造影マーカーはまさに見えないことを、保証する。
【００４８】
好ましくは、造影マーカーは、入射するＸ線強度の約１％より多い、好ましくは約２％より多い、特に約４％より多い、造影作用をもたらす。
【００４９】
エラー露光が存在するか否かを迷いなく定めるために、造影作用の下限が、認識アルゴリズムの充分な強靱性を保証する。
【００５０】
以下、図面を用いて本発明の実施例を詳細に説明する。
【図面の簡単な説明】
【００５１】
【図１】図１は造影マーカーを有するＸ線メモリ箔システムを図式的に示している。
【図２】図２はノーマルに観察する場合にユーザーに示されるＸ線記録の表示であって、その場合に露光は造影マーカーの側から行われている。
【図３】図３はＸ線記録を周波数空間へ変換した後の、このＸ線記録の周波数空間画像である。
【図４】造影マーカーの側からの露光に基づいてミラーリングされ、かつ露光側についての有益な示唆を示す、図２に基づくＸ線記録の表示である。
【発明を実施するための形態】
【００５２】
図１は、図１の下方部分に示されるＸ線メモリ箔読みだしシステム１０を有する、歯科医療領域におけるＸ線記録の典型的なサイクルを全体的に示している。
【００５３】
Ｘ線メモリ箔読みだしシステム１０は、Ｘ線メモリ箔１２とメモリ箔リーダー１４を有している。
【００５４】
図１の左上から明らかなように、Ｘ線メモリ箔１２は造影マーカー１６を有しており、その造影マーカーはＸ線メモリ箔１２の一方の側、特に後ろ側に配置されている。造影マーカー１６は、少なくともＸ線メモリ箔１２の、本来の露光用に設けられた記録領域内にも配置されている。しかし造影マーカー１６は、たとえば銅からなる既知の造影マーカー１６に比較して、小さい造影作用しか有していない。
【００５５】
造影マーカー１６は、ここに示される実施例においては、ＲＦＩＤマーカー２０の螺旋形状のアンテナ構造１８として形成されており、そのＲＦＩＤマーカーは、Ｘ線メモリ箔１２をＸ線メモリ箔読みだしシステム１０の他のＸ線メモリ箔１２に対して容易に対応づけるために個別化する。
【００５６】
アンテナ構造１８の螺旋形状は個々のアルミニウム導体路の間で、電磁的な特性によって定められた、螺旋形状に沿って実質的に変化しない間隔２２を有する。
【００５７】
ここに図示される実施例において、造影マーカー１６は、変化しない間隔２２によって、特徴的な目印として、導体路の間で周期的に交代するアルミニウム導体路と間隙の領域を有している。
【００５８】
図１の右上の部分に示されるように、Ｘ線メモリ箔１２は顎２４の内部空間内へ露光のために挿入されて、必ずしもＸ線メモリ箔システム１０に属さないＸ線露光装置２６とその中に配置されたＸ線源２８によって露光される。
【００５９】
その場合に造影マーカー１６を支持するＸ線メモリ箔１２の裏側がＸ線源２８を向いているので、露光は造影マーカー１６の側から行われる。これは、うっかりとして正しく挿入されていないＸ線メモリ箔１２に相当する。
【００６０】
異なる露光方向を理解しやすくするために、さらに、Ｘ線露光装置２６’とＸ線源２８’の補完的な位置が破線で示されている。
【００６１】
Ｘ線メモリ箔１２の露光後に、このＸ線メモリ箔がメモリ箔リーダー１４内へ挿入される。メモリ箔リーダーはメモリ箔１２を読み出すために、スキャンユニット３０内に、この種のメモリ箔リーダー１４によって知られたコンポーネントを有している。
【００６２】
スキャンユニット３０は、ここではロータリースキャナとして形成されているが、Ｘ線メモリ箔１２の蛍光検出に適した任意のスキャン方法を使用することができる。
【００６３】
さらにスキャンユニット３０は、ＲＦＩＤリーダー３８を有しており、それによって無線を介してＲＦＩＤマーカー２０の情報が読み出される。
【００６４】
読み出されたＸ線記録のデータ及び場合によってはＲＦＩＤマーカー２０の情報が、その後評価ユニット３２へ伝達され、その評価ユニットはここでは市場で一般的なＰＣとして示されている。
【００６５】
評価ユニット３２の表示器３４上に、Ｘ線記録の通常のグレイ値画像３６を示すことができる。しかしこのグレイ値画像３６においては、ユーザーが通常のように観察する場合には、造影マーカー１６は、造影作用が小さいことに基づいて認識できない。
【００６６】
したがって評価ユニット３２は、認識アルゴリズム４０を有しており、その認識アルゴリズムは、Ｘ線記録内の造影マーカー１６の造影作用が探求されることにより、Ｘ線メモリ箔１２がどの側から露光されたかを認識するように、構成されている。
【００６７】
認識アルゴリズム４０は、以下のように作動する：
【００６８】
認識アルゴリズム４０は入力情報としてＸ線記録を受け取り、そのＸ線記録はユーザーにグレイ値画像３６として表示され、これが図２に再度示されている。図２から明らかなように、グレイ値画像３６の隣及び／又は上に患者情報４２が示される。さらにエラー露光示唆４４が設けられており、これはＸ線メモリ箔１２がどの側から露光されたかを表示する。
【００６９】
図２からさらに明らかなように、ユーザーによるノーマルな観察用に設けられている、このグレイ値画像３６からユーザーによっては、造影マーカー１６の造影作用の存在を光学的に推定することはできない。
【００７０】
認識アルゴリズム４０は、画像データをフーリエ変換することによって、Ｘ線記録を場所空間から周波数空間へ移動させる。該当する周波数空間画像４６の表示は、たとえば図３に示すように見ることができる。
【００７１】
間隔２２を有するアンテナ構造１８の周期性に基づいて、図３に示すように、周波数空間画像４６の周期性によって定められる位置４８に強度ピーク５０が形成される。
【００７２】
したがって認識アルゴリズム４０は、既知の位置４８においてこの種の強度ピーク５０の存在を求める。
【００７３】
その場合に既知の位置４８は、ＲＦＩＤマーカー２０によって得られる情報に従って、Ｘ線メモリ箔１２に対してかつそれに伴ってその上に取り付けられている造影マーカー１６に対しても定められることができる。
【００７４】
したがって認識アルゴリズム４０は、決定判断基準の適用によって、この例において強度ピーク５０が存在していることに基づいて、造影マーカー１６の側からのＸ線メモリ箔の露光が存在すると、判定する。
【００７５】
したがって認識アルゴリズム４０は、図４に示すように、エラー露光示唆４４を作動させることができ、そのエラー示唆からは、造影マーカー１６の側からの露光が行われたことが、明らかになる。
【００７６】
さらに造影効果の認識に基づいてＸ線記録をミラーリングすることができるので、図４に示すグレイ値画像３６’は、顎２４の正しい方位を示している。
【００７７】
付加的に、認識アルゴリズム４０は、造影マーカー抑圧アルゴリズムを有することもでき、これは、造影作用によってもたらされた、たとえばかるい背景影のような効果を無効にする。
【００７８】
もちろん認識アルゴリズム４０は、中間ステップの表示を省くことができるので、ユーザーには最終的なグレイ値画像３６’のみが表示される。
【図１】
2020014835.tif 000003
【図２】
2020014835.tif 000004
【図３】
2020014835.tif 000005
【図４】
2020014835.tif 000006
【外国語明細書】
2020014835000001.pdf